(57)【要約】【課題】記録紙１枚あたりの印刷コストを極力減らすとともに、複数枚の原稿の画像データのそれぞれに対して印刷コストを低減させることのできる画像形成装置を提供する。【解決手段】ＣＰＵ５０が、記録紙１枚あたりの印刷コストが記憶部２３に記憶されるユーザが設定した記録紙１枚あたりの印刷コストの上限金額を超えていることを確認すると、ＣＰＵ５０の指示により、推奨設定計算部３１において推奨設定（即ち、上限金額を超えない設定）を行うための計算がなされる。具体的に、推奨設定計算部３１は、ユーザが設定したコピー条件における印刷濃度及び出力用紙サイズとスキャナ部２０が読み取った原稿の画像データに基づく文字サイズのうち、少なくとも１つを変更することによって、記録紙１枚あたりの印刷コストを算出する。そして、ＣＰＵ５０の指示により、推奨設定計算部３１により得られた推奨設定の内容が表示画面２１ａに表示される。【選択図】図２
2007086646.tif 000002
【特許請求の範囲】
【請求項１】
原稿の画像データを読み取るスキャナ部を備え、前記スキャナ部によって読み取られた原稿の画像データを記録紙に印刷する画像形成装置において、
原稿の画像データの印刷条件を設定するとともに記録紙１枚あたりの印刷コストの上限金額を設定するための操作を行う操作部と、
前記操作部の操作により設定された記録紙１枚あたりの印刷コストの上限金額が記憶される記憶部と、
前記スキャナ部が読み取った原稿の画像データに基づき、記録紙１枚あたりの印刷コストを算出するコスト算出部と、
前記コスト算出部が算出した記録紙１枚あたりの印刷コストと前記記憶部に記憶される記録紙１枚あたりの印刷コストの上限金額との比較結果により、前記コスト算出部が算出した記録紙１枚あたりの印刷コストが前記記憶部に記憶される記録紙１枚あたりの印刷コストの上限金額よりも高くなると予想される場合に、
記録紙１枚あたりの印刷コストが記録紙１枚あたりの印刷コストの上限金額を超えないような画像データの印刷に関する推奨設定を行うための計算をする推奨設定計算部と、
前記推奨設定計算部より得られる推奨設定の内容を表示する表示部と、
を備えることを特徴とする画像形成装置。
【請求項２】
前記推奨設定計算部は、設定された原稿の画像データの印刷条件における出力用紙サイズと印刷濃度、及び前記スキャナ部が読み取った原稿の画像データに基づく文字サイズのうち、少なくとも１つの条件を変更することによって、記録紙１枚あたりの印刷コストを算出することを特徴とする請求項１に記載の画像形成装置。
【請求項３】
前記表示部に前記推奨設定計算部より得られる推奨設定の内容が表示されてからの経過時間を計時するタイマを備え、
前記タイマにより計時される前記表示部に前記推奨設定計算部より得られる推奨設定の内容が表示されてからの経過時間が、前記操作部の操作が継続して行われない状態で、所定時間を越えたときに、前記操作部の操作により予め設定された印刷モードにて自動的に印刷を開始することを特徴とする請求項１または請求項２に記載の画像形成装置。
【請求項４】
前記表示部に前記推奨設定計算部より得られる推奨設定の内容が表示されてから前記操作部の操作により予め設定された印刷モードにて自動的に印刷を開始するまでの時間が、可変に構成されることを特徴とする請求項３に記載の画像形成装置。
【請求項５】
前記印刷モードは、前記推奨設定計算部より得られる推奨設定による印刷モード、或いは、前記スキャナ部が原稿の画像データを読み取る前に前記操作部の操作により設定された印刷条件に基づく印刷モードの何れかであることを特徴とする請求項３または請求項４に記載の画像形成装置。
【発明の詳細な説明】
【技術分野】
【０００１】
本発明は、複写機やプリンタなどの画像形成装置に関し、特に、印刷コストを管理する機能を有するものに関する。
【背景技術】
【０００２】
従来より、複写機やプリンタなどの画像形成装置が知られている。そして、この画像形成装置として、コピー機能にて原稿の画像データを印刷する際に、プレスキャンを実行することにより、プレスキャンした画像データをオペレーションパネルの表示画面に表示させることのできる多機能文書作成装置が提案されている（特許文献１参照）。これにより、原稿の画像データをプレスキャンした後、すぐに印刷するのではなく、ユーザの指示を待ってプレスキャンした画像データの印刷を行うことができる。
【０００３】
また、見積金額と積算金額との和が課金金額の上限金額を超える可能性がある場合に、その上限金額を超えないようなジョブ処理方法を複数の機能を総合的かつ効率的に考慮して選択できるようにした複合装置管理装置が提案されている（特許文献２参照）。
【０００４】
具体的に、この複合装置管理装置と端末装置と複合装置とがネットワークに接続されている。複合装置管理装置のジョブ情報管理手段は、端末装置から印刷等の要求（ジョブ入力要求）を受け取り、ジョブ解析内容を割り出す。また、複合装置管理装置の複合装置情報管理手段は、複合装置の各機能や設定、消耗品等に対してそれぞれ定められた単価を課金単価情報として保持する。
【０００５】
そして、複合装置管理装置の課金見積算定手段が、ジョブ情報管理手段からのジョブ解析内容と複合装置情報管理手段から取り出した課金単価情報とに基づきジョブ処理に要する課金金額の見積もりを行った後、複合装置管理装置の課金金額比較手段が、課金見積算定手段からの見積金額と積算金額算定手段からの積算金額（既にジョブ処理が実行されたジョブの課金金額の合計）との和が、予め設定された課金金額の上限金額を超える可能性があるか否かの判断を行う。
【０００６】
これにより、課金金額比較手段からの判断結果が、上限金額を超える可能性がある旨を示す場合には、複合装置管理装置のジョブ処理通知手段が、上限金額を超えないような一又は二以上のジョブ処理方法を選んで、端末装置或いは複合装置へ送る。そして、ユーザは、端末装置或いは複合装置に表示されたジョブ処理方法の中から一つの処理方法を選択し、このジョブの実行要求を複合装置管理装置へ送る。
【特許文献１】特開２００３−２５９０５９号公報
【特許文献２】特開２００４−１６４１５７号公報
【発明の開示】
【発明が解決しようとする課題】
【０００７】
上述のように、上記特許文献２の複合装置管理装置では、課金見積算定手段からの見積金額と積算金額算定手段からの積算金額との和が、予め設定された課金金額の上限金額を超える可能性があるか否かの判断を行うようにしている。
【０００８】
よって、予め設定された課金金額の上限金額と積算金額算定手段による積算金額との差が大きいところでは、ユーザが指定したジョブ処理方法で画像データの印刷を行うことができる。しかしながら、予め設定された課金金額の上限金額と積算金額算定手段による積算金額との差が小さくなるにつれ、それまでジョブ処理方法が制限されることなく高い金額で画像データの印刷を行っていたために、その皺寄せが大きくなるという問題がある。そして、ついには、ユーザが指定したジョブ処理方法を変更する必要が生じる。
【０００９】
また、上記複合装置管理装置では、複数枚の記録紙に印刷される画像データに対し、すべての画像データの印刷コストをトータルで見ているため、課金見積算定手段による見積金額と積算金額算定手段による積算金額との和が予め設定された課金金額の上限金額を超える可能性がある場合に、すべての画像データに対して同じジョブ処理方法を適用することができても、個々の画像データに対してジョブ処理方法を変更することができないという問題がある。
【００１０】
本発明は、かかる点に鑑みてなされたものであり、その目的とするところは、記録紙１枚あたりの印刷コストを極力減らすとともに、複数枚の原稿の画像データのそれぞれに対して印刷コストを低減させることのできる画像形成装置を提供することにある。
【課題を解決するための手段】
【００１１】
上記目的を達成するために、本発明の画像形成装置は、原稿の画像データを読み取るスキャナ部を備え、前記スキャナ部によって読み取られた原稿の画像データを記録紙に印刷する画像形成装置において、原稿の画像データの印刷条件を設定するとともに記録紙１枚あたりの印刷コストの上限金額を設定するための操作を行う操作部と、前記操作部の操作により設定された記録紙１枚あたりの印刷コストの上限金額が記憶される記憶部と、前記スキャナ部が読み取った原稿の画像データに基づき、記録紙１枚あたりの印刷コストを算出するコスト算出部と、前記コスト算出部が算出した記録紙１枚あたりの印刷コストと前記記憶部に記憶される記録紙１枚あたりの印刷コストの上限金額との比較結果により、前記コスト算出部が算出した記録紙１枚あたりの印刷コストが前記記憶部に記憶される記録紙１枚あたりの印刷コストの上限金額よりも高くなると予想される場合に、記録紙１枚あたりの印刷コストが記録紙１枚あたりの印刷コストの上限金額を超えないような画像データの印刷に関する推奨設定を行うための計算をする推奨設定計算部と、前記推奨設定計算部より得られる推奨設定の内容を表示する表示部と、を備えることを特徴とする。
【００１２】
このように構成された画像形成装置において、前記推奨設定計算部は、設定された原稿の画像データの印刷条件における出力用紙サイズと印刷濃度、及び前記スキャナ部が読み取った原稿の画像データに基づく文字サイズのうち、少なくとも１つの条件を変更することによって、記録紙１枚あたりの印刷コストを算出する。
【００１３】
そして、設定された原稿の画像データの印刷条件に対し、出力用紙サイズを小さくする、印刷濃度を薄くする、或いは、スキャナ部が読み取った原稿の画像データより判断される文字サイズよりも文字サイズを小さくすることによって、トナーの使用量が減少し、記録紙１枚あたりの印刷コストが低下する。尚、画像を間引くことで記録紙に印刷される画像を荒くすることによっても、トナーの使用量を減少させることができる。
【００１４】
また、上述のそれぞれの画像形成装置において、前記表示部に前記推奨設定計算部より得られる推奨設定の内容が表示されてからの経過時間を計時するタイマを備え、前記タイマにより計時される前記表示部に前記推奨設定計算部より得られる推奨設定の内容が表示されてからの経過時間が、前記操作部の操作が継続して行われない状態で、所定時間を越えたときに、前記操作部の操作により予め設定された印刷モードにて自動的に印刷を開始するものとしても構わない。
【００１５】
これにより、表示部に推奨設定計算部より得られる推奨設定の内容が表示されてから、推奨設定にて原稿の画像データの印刷を開始するための操作や他の操作が継続してなされない状態で、タイマによる計時値が所定時間を経過すると、ユーザの意志を問うことなく、予め設定された印刷モードにて自動的に印刷が開始される。よって、予め設定された印刷モードにて原稿の画像データの印刷を確実に行うことができる。また、表示部に推奨設定計算部より得られる推奨設定の内容が表示された状態のまま、次の人が画像形成装置を使用するまで放置されることを防止できる。
【００１６】
このとき、前記表示部に前記推奨設定計算部より得られる推奨設定の内容が表示されてから前記操作部の操作により予め設定された印刷モードにて自動的に印刷を開始するまでの時間が、可変に構成される。
【００１７】
そして、表示部に推奨設定の内容が表示されてから予め設定された印刷モードにて自動的に印刷を開始するまでの時間がゼロに設定されたときは、記録紙１枚あたりの印刷コストが上限金額を超えている場合でも、表示部に推奨設定の内容が表示されることなく、予め設定された印刷モードですぐに印刷が行われる。よって、コピー機能を有する一般的な画像形成装置と同様に、短時間で原稿の画像データを印刷することができる。また、表示部に推奨設定の内容が表示されてから予め設定された印刷モードにて自動的に印刷を開始するまでの時間が無限大∞に設定されたときは、操作部の操作が行われない限り、印刷が開始されない。
【００１８】
また、上述のそれぞれの画像形成装置において、前記印刷モードは、前記推奨設定計算部より得られる推奨設定による印刷モード、或いは、前記スキャナ部が原稿の画像データを読み取る前に前記操作部の操作により設定された印刷条件に基づく印刷モードの何れかであるものとしても構わない。
【００１９】
これにより、推奨設定による印刷モードが予め設定されている場合には、表示部に推奨設定計算部より得られる推奨設定の内容が表示されてから、操作部の操作が継続して行われない状態で、タイマによる計時値が所定時間を経過すると、推奨設定にて画像データの印刷が行われる。また、スキャナ部が原稿の画像データを読み取る前に設定された印刷条件に基づく印刷モードが予め設定されている場合には、表示部に推奨設定計算部より得られる推奨設定の内容が表示されてから、操作部の操作が継続して行われない状態で、タイマによる計時値が所定時間を経過すると、スキャナ部が原稿の画像データを読み取る前に設定された印刷条件に基づき画像データの印刷が行われる。
【発明の効果】
【００２０】
本発明によれば、コスト算出部が算出した記録紙１枚あたりの印刷コストが記憶部に記憶される記録紙１枚あたりの印刷コストの上限金額よりも高くなると予想される場合に、記録紙１枚あたりの印刷コストが記録紙１枚あたりの印刷コストの上限金額を超えないような画像データの印刷に関する推奨設定を表示部に表示するようにしているため、ユーザは、推奨設定にて記録紙１枚あたりの印刷コストの上限金額を超えない範囲で画像データの印刷を行うことができる。従って、本発明によれば、記録紙１枚あたりの印刷コストを極力減らすことができ、複数枚の原稿の画像データのそれぞれに対して印刷コストを低減させることができる。
【発明を実施するための最良の形態】
【００２１】
以下、本発明の実施形態を図面に基づいて詳細に説明する。
【００２２】
《発明の実施形態１》
本実施形態の画像形成装置１０には、原稿の複写を行うコピー機能が搭載されている。また、図１に示すように、この画像形成装置１０は、原稿の画像データを読み取るために原稿を搬送する自動原稿送り装置（ＡＤＦ）１１と、読み取った原稿の画像データを印刷するための記録紙がサイズ毎（Ａ４，Ａ３など）に収容される複数の給紙カセット１２と、これらの給紙カセット１２それぞれから給紙されると共に画像データの印刷後に装置内部から排出された記録紙を貯めておくための排紙トレイ１３と、印刷動作を開始するためのスタートボタン１４ａやコピー枚数などを設定するためのテンキー１４ｂが配置される操作パネル１４と、を備えている。
【００２３】
そして、図１に示す操作パネル１４には、後述するトナーボックスの金額や記録紙１枚あたりの金額などの各項目を設定するための初期設定ボタン１４ｃが配置されている。この初期設定ボタン１４ｃは、操作パネル１４の他の部分と比べて凹んでおり、ボールペンの先などで押下することによって初期設定を行うことができる。即ち、この初期設定ボタン１４ｃは、ユーザが指で押下することにより容易に初期設定を変更することができないようになっている。
【００２４】
また、図２に示すように、この画像形成装置１０には、図１に示す自動原稿送り装置１１より搬送される原稿の画像データを読み取るスキャナ部２０と、コピー条件の設定や画像形成装置１０の動作状態の表示を行うためのタッチパネル式の表示画面２１ａを備える表示部２１と、操作パネル１４を通じてコピー条件を設定するための操作や画像形成装置１０を動作させるための操作を行う操作部２２と、記録紙に印刷するための画像データが記憶される記憶部２３と、記憶部２３より取り出された画像データを記録紙に印刷する画像形成部２４と、スキャナ部２０が読み取った原稿の画像データに基づき記録紙１枚あたりの印刷コストを計算する計算部２５と、タイマ（不図示）を備えるとともに所定のタイミングに達したときからの経過時間を計時する計時部２６と、スキャナ部２０、表示部２１、操作部２２、画像形成部２４、計算部２５、及び計時部２６の動作を制御する制御部２７と、が設けられている。
【００２５】
そして、この画像形成装置１０では、画像形成部２４において、装置内部に設置される感光ドラム（不図示）の表面を帯電させる帯電工程、帯電した感光ドラムにレーザ光を照射してこの感光ドラムの表面に静電潜像を形成する露光工程、感光ドラムの表面に形成された静電潜像にトナーボックスに収容されるトナーを付着させて現像を行う現像工程、感光ドラムの表面に付着したトナーを記録紙へ転写する転写工程、及び記録紙に転写されたトナーを記録紙に定着させる定着工程の各工程が順に行われることによって、複数の給紙カセット１２それぞれから給紙された記録紙に画像データが印刷される。
【００２６】
このように構成された画像形成装置１０において、ユーザは、図１に示す表示画面２１ａを通じて、トナーボックスの金額や記録紙１枚あたりの金額を入力し、これらの金額を記憶部２３に記憶させておく。また、ユーザは、図１に示す表示画面２１ａを通じて、記録紙１枚あたりの印刷コストの上限金額を入力し、この金額を記憶部２３に記憶させておく。尚、トナーボックスの金額、記録紙１枚あたりの金額、及び記録紙１枚あたりの印刷コストの上限金額は、図１に示す操作パネル１４の初期設定ボタン１４ｃを押下することで表示画面２１ａに現れる図３に示すような初期設定画面を通じて入力することができる。
【００２７】
また、図２に示す計算部２５は、コスト計算部３０と推奨設定計算部３１とを備える。コスト計算部３０は、スキャナ部２０が読み取った原稿の画像データに基づき、記録紙１枚あたりのトナー使用コストを算出する。そして、コスト計算部３０は、記憶部２３に記憶された記録紙１枚あたりの金額に記録紙１枚あたりのトナー使用コストを加えることで、記録紙１枚あたりの印刷コストを算出する。例えば、階調数を０と１の２値、解像度を６００×６００ｄｐｉ、１ドットあたりのトナー量をＡとする。また、記録紙１枚あたりの金額を１円とするとともに、トナーボックスの金額を１０００円、このトナーボックスに収容されるトナーの量をＢとする。
【００２８】
このとき、スキャナ部２０が読み取った画像データの中に階調が１であるドットがＣ個存在すれば、コスト計算部３０は、１ドットのトナー使用コストに階調が１であるドット数を乗じることにより記録紙１枚あたりのトナー使用コストを算出し、記録紙１枚あたりのトナー使用コストを記録紙１枚あたりの金額に加えることで、記録紙１枚あたりの印刷コストを１円＋（１０００円×Ａ／Ｂ）×Ｃとして算出する。また、ユーザが設定したコピー条件における出力用紙サイズが原稿の用紙サイズと異なる場合に、即ち、コピー条件として拡大印刷または縮小印刷が設定されている場合に、コスト計算部３０は、出力用紙サイズと原稿の用紙サイズとの違いを考慮して、記録紙１枚あたりの印刷コストを算出する。更に、ユーザが設定したコピー条件における印刷濃度が原稿の画像濃度と異なる場合に、コスト計算部３０は、印刷濃度と原稿の画像濃度との違いを考慮して、記録紙１枚あたりの印刷コストを算出する。
【００２９】
また、推奨設定計算部３１は、コスト計算部３０が算出した記録紙１枚あたりの印刷コストがユーザが設定した記録紙１枚あたりの印刷コストの上限金額を超えているときに、上限金額を超えない設定（以下、「推奨設定」と呼ぶ）を行うために、複数のパラメータのうちの少なくとも１つのパラメータの値を変更することによって記録紙１枚あたりの印刷コストを算出する。尚、複数のパラメータとは、印刷濃度、出力用紙サイズ、及び文字サイズなどであり、印刷濃度を薄くする、出力用紙サイズを小さくする、或いは、文字サイズを小さくすることによって、トナーの使用量が減少し、記録紙１枚あたりの印刷コストが低下する。
【００３０】
このように推奨設定計算部３１が動作するとき、ユーザは、図１に示す表示画面２１ａを通じて、複数のパラメータの優先順位を決め、この優先順位を記憶部２３に記憶させておくことができる。例えば、この推奨設定において、出力用紙サイズを優先させる場合には、印刷濃度が薄く、或いは、文字サイズが小さくなっても、ユーザが設定したサイズの記録紙に原稿の画像データを印刷することが可能となる。また、この推奨設定において、印刷濃度を優先させる場合には、出力用紙サイズが小さく、或いは、文字サイズが小さくなっても、ユーザが設定した印刷濃度で記録紙に原稿の画像データを印刷することが可能となる。
【００３１】
そして、推奨設定計算部３１により得られた推奨設定の内容は、表示画面２１ａに表示される（図４参照）。具体的に、図４に示す表示画面２１ａには、コスト計算部３０が計算した記録紙１枚あたりの印刷コスト（例えば、１２円）、推奨設定の内容（推奨される印刷濃度、推奨される出力用紙サイズ、推奨される文字サイズ）、及び次のステップに進むために押下する複数のボタンとして、推奨設定ボタン４０、設定変更ボタン４１、上限変更ボタン４２、及びユーザ設定ボタン４３が表示される。
【００３２】
そして、図４に示す表示画面２１ａに表示された複数のボタン４０〜４３のうち、ユーザが推奨設定ボタン４０を押下し、その後に操作パネル１４のスタートボタン１４ａを押下すると、推奨設定計算部３１により得られた推奨設定にて原稿の画像データの印刷が行われる。
【００３３】
また、ユーザが図４に示す表示画面２１ａに表示される設定変更ボタン４１を押下すると、表示画面２１ａがコピー条件を設定するための画面に切り換わる。そして、ユーザが表示画面２１ａを通じてコピー条件を再び設定すると、コスト計算部３０において、記録紙１枚あたりの印刷コストが再計算されるとともに、制御部２７のＣＰＵ５０において、ユーザが設定した記録紙１枚あたりの印刷コストの上限金額との比較が行われる。この比較結果により、コスト計算部３０により算出された記録紙１枚あたりの印刷コストが、ユーザが設定した記録紙１枚あたりの印刷コストの上限金額を超えている場合には、推奨設定計算部３１において推奨設定を行うための計算が行われ、推奨設定計算部３１により得られた推奨設定の内容が表示画面２１ａに表示される。
【００３４】
或いは、ユーザが図４に示す表示画面２１ａに表示される設定変更ボタン４１を押下した後、表示画面２１ａを通じてコピー条件を設定し、その後に操作パネル１４のスタートボタン１４ａを押下すると、推奨設定ではなく、ユーザが設定したコピー条件で原稿の画像データが印刷される。尚、ユーザが設定変更ボタン４１を押下するのは、推奨設定計算部３１により得られた推奨設定の内容を変更したいときである。
【００３５】
或いは、ユーザが図４に示す表示画面２１ａに表示される上限変更ボタン４２を押下すると、表示画面２１ａが記録紙１枚あたりの印刷コストの上限金額を入力するための画面に切り換わる。そして、ユーザは、表示画面２１ａを通じて、記録紙１枚あたりの印刷コストの上限金額を入力する。このとき、ユーザが設定した記録紙１枚あたりの印刷コストの上限金額がコスト計算部３０が算出した記録紙１枚あたりの印刷コストよりも高ければ、推奨設定計算部３１が起動せず、ユーザが設定したコピー条件で原稿の画像データの印刷が行われる。
【００３６】
一方、このとき、ユーザが設定した記録紙１枚あたりの印刷コストの上限金額がコスト計算部３０が算出した記録紙１枚あたりの印刷コストよりも低ければ、ユーザが入力した記録紙１枚あたりの印刷コストの上限金額に基づき推奨設定計算部３１において推奨設定のための計算が行われ、推奨設定計算部３１により得られた推奨設定の内容が表示画面２１ａに表示される。
【００３７】
尚、上限変更ボタン４２は、記録紙１枚あたりの印刷コストの上限金額を一時的に変更するために表示画面２１ａに表示されるものである。よって、ユーザがこの上限金額を入力するための画面を通じて記録紙１枚あたりの印刷コストの上限金額を入力しても、ユーザが初期設定画面を通じて入力した記録紙１枚あたりの印刷コストの上限金額が変更されることはない。
【００３８】
或いは、ユーザが図４に示す表示画面２１ａに表示されるユーザ設定ボタン４３を押下し、その後に操作パネル１４のスタートボタン１４ａを押下すると、ユーザが設定した記録紙１枚あたりの印刷コストの上限金額を超えたまま、ユーザが設定したコピー条件で原稿の画像データの印刷が行われる。
【００３９】
また、図２に示す計時部２６は、推奨設定計算部３１により得られた推奨設定の内容が表示画面２１ａに表示されてからの経過時間を、タイマを用いて計時する。そして、タイマによる計時値に基づき、推奨設定の内容が表示画面２１ａに表示されてから所定時間が経過するまでユーザが何も操作しなかったときに、即ち、ユーザが図４に示す次のステップに進むための複数のボタン４０〜４３を押下しなかったときに、決められた印刷モードで自動的に印刷が開始される。尚、推奨設定の内容が表示画面２１ａに表示されてから決められた印刷モードで自動的に印刷を開始するまでの待ち時間は、ユーザが図３に示す初期設定画面における「待ち時間」と表示された部分を押下して適当な時間を入力することで、この時間を記憶部２３に記憶させておく。
【００４０】
ここで、決められた印刷モードとは、推奨設定計算部３１により得られた推奨設定で印刷を行うモード（以下、「推奨設定モード」と呼ぶ）とユーザが設定したコピー条件で印刷を行うモード（以下、「ユーザ設定モード」と呼ぶ）の何れかである。そして、ユーザは、図３に示す初期設定画面に「推奨設定」と表示された部分と「ユーザ設定」と表示された部分の何れか一方を押下し、推奨設定モードとユーザ設定モードの何れかを選択する。例えば、ユーザが図３に示す初期設定画面における「ユーザ設定」と表示された部分を押下し、印刷モードをユーザ設定モードに設定したときは、推奨設定が表示画面２１ａに表示されてから所定時間が経過すると、ユーザが設定したコピー条件で原稿の画像データの印刷が行われる。
【００４１】
また、推奨設定が表示画面２１ａに表示されてから決められた印刷モードで自動的に印刷を開始するまでの待ち時間をゼロに設定したときは、記録紙１枚あたりの印刷コストが上限金額を超えている場合でも、表示画面２１ａに推奨設定の内容が表示されることなく、決められた印刷モードですぐに印刷が行われる。更に、推奨設定が表示画面２１ａに表示されてから決められた印刷モードで自動的に印刷を開始するまでの待ち時間を無限大∞に設定したときは、ユーザが図４に示す次のステップに進むための複数のボタン４０〜４３の何れかを押下しない限り、印刷が開始されない。
【００４２】
更に、図２に示す制御部２７は、画像形成装置１０内の各部を制御するＣＰＵ５０と、ＣＰＵ５０が各処理を実行する際に必要な作業領域を提供するＲＡＭ５１と、ＣＰＵ５０が各処理を実行するための各種制御プログラムが格納されるＲＯＭ５２と、を備える。
【００４３】
このように構成された画像形成装置１０の動作について、図５に示すフローチャートを参照しながら説明する、尚、上述した画像形成装置１０の動作と重複する部分については、その詳細な説明を省略する。
【００４４】
原稿の画像データの印刷を行う前に、ユーザが、図２に示す操作パネル１４の初期設定ボタン１４ｃを押下し、図３に示す初期設定画面を表示画面２１ａに表示させる。そして、ユーザは、表示画面２１ａを通じて、トナーボックスの金額、記録紙１枚あたりの金額、記録紙１枚あたりの印刷コストの上限金額、及び推奨設定の内容が表示画面２１ａに表示されてから決められた印刷モードで自動的に印刷を開始するまでの待ち時間のそれぞれを設定する（ステップＳ１１）。
【００４５】
具体的に、トナーボックスの金額を設定する場合、ユーザは、図３に示す初期設定画面における「トナーボックス」と表示された部分を押下し、この部分を反転表示させる。すると、トナーボックスの金額を表示する欄の一部が灰色に変化し、カーソルが点滅する。この状態で、ユーザが操作パネル１４のテンキー１４ｂを用いてトナーボックスの金額を入力すると、ユーザの入力したトナーボックスの金額が初期設定画面に表示される。そして、ユーザの設定したトナーボックスの金額の情報が操作部２２より入力され、トナーボックスの金額が記憶部２３に記憶される。
【００４６】
また、記録紙１枚あたりの金額、記録紙１枚あたりの印刷コストの上限金額、及び推奨設定の内容が表示画面２１ａに表示されてから決められた印刷モードで自動的に印刷を開始するまでの待ち時間については、図３に示す初期設定画面における「記録紙の金額」と表示された部分、「上限金額」と表示された部分、「待ち時間」と表示された部分をそれぞれ押下し、トナーボックスの金額を設定する場合と同様の方法で設定を行う。
【００４７】
尚、トナーボックスの金額、記録紙１枚あたりの金額、記録紙１枚あたりの印刷コストの上限金額、及び推奨設定の内容が表示画面２１ａに表示されてから決められた印刷モードで自動的に印刷を開始するまでの待ち時間の設定は、原稿の画像データを印刷する毎に行う必要はない。例えば、トナーボックスの金額は、トナーボックスを新しいものに交換したときにだけ設定すればよい。また、記録紙１枚あたりの金額は、購入する記録紙の金額が変更されたときにだけ設定すればよい。
【００４８】
また、図１に示す表示画面２１ａに図３に示す初期設定画面が表示されるとき、ユーザは、初期設定画面における「推奨設定」と表示された部分と「ユーザ設定」と表示された部分の何れか一方を押下し、推奨設定の内容が表示画面２１ａに表示されてから所定時間が経過した後に自動で行われる印刷のモードを設定する（ステップＳ１２）。
【００４９】
具体的に、この印刷モードを推奨設定モードに設定する場合、ユーザは、図３に示す初期設定画面における「推奨設定」と表示された部分を押下し、この部分を反転表示させる。すると、ユーザの指示に従った情報が操作部２２より入力され、ＣＰＵ５０においてユーザが初期設定画面における「推奨設定」と表示された部分を押下したことが確認されるとともに、ユーザの設定した推奨設定モードが記憶部２３に記憶される。
【００５０】
続いて、ステップＳ１２とステップＳ１３による初期設定が終了した後、ユーザが表示画面２１ａを通じて出力用紙サイズや印刷濃度などのコピー条件を設定すると（ステップＳ１３）、ユーザの指示に従った情報が操作部２２より入力され、ＣＰＵ５０において、ユーザが設定したコピー条件の確認が行われる。
【００５１】
そして、ＣＰＵ５０において、ユーザによる印刷開始の指示が行われたか否かの判断が行われる（ステップＳ１４）。このとき、ユーザが自動原稿送り装置１１に原稿をセットして操作パネル１４のスタートボタン１４ａを押下すると、ユーザの指示に従った情報が操作部２２より入力され、ＣＰＵ５０がユーザによる印刷開始の指示が行われたことを確認する（ステップＳ１４でＹｅｓ）。そして、ＣＰＵ５０の指示により、自動原稿送り装置１１からスキャナ部２０に原稿が送り込まれ、このスキャナ部２０によって原稿の画像データが読み取られる（ステップＳ１５）。スキャナ部２０が読み取った原稿の画像データは、一時的に記憶部２３に記憶される。
【００５２】
その後、コスト計算部３０において、スキャナ部２０が読み取った原稿の画像データに基づき、記録紙１枚あたりのトナー使用コストが算出されるとともに、記憶部２３に記憶された記録紙１枚あたりの金額に記録紙１枚あたりのトナー使用コストを加えることで、記録紙１枚あたりの印刷コストが算出される（ステップＳ１６）。このとき、コスト計算部３０は、ユーザが設定したコピー条件における出力用紙サイズと原稿の用紙サイズとの違いや、ユーザが設定したコピー条件における印刷濃度と原稿の画像濃度との違いを考慮して、記録紙１枚あたりの印刷コストを算出する。コスト計算部３０が算出した記録紙１枚あたりの印刷コストのデータは、コスト計算部３０よりＣＰＵ５０に送られる。
【００５３】
そして、ＣＰＵ５０において、コスト計算部３０が算出した記録紙１枚あたりの印刷コストが記憶部２３に記憶されるユーザが設定した記録紙１枚あたりの印刷コストの上限金額の範囲内に収まるか否かの判断が行われる（ステップＳ１７）。
【００５４】
このとき、ＣＰＵ５０が、記録紙１枚あたりの印刷コストが記憶部２３に記憶されるユーザが設定した記録紙１枚あたりの印刷コストの上限金額の範囲内に収まることを確認すると（ステップＳ１７でＹｅｓ）、記憶部２３より原稿の画像データが取り出されて画像形成部２４に送られる。そして、画像形成部２４において、ステップＳ１３でユーザが設定したコピー条件に基づき、原稿の画像データの印刷が行われる（ステップＳ１８）。
【００５５】
一方、このとき、ＣＰＵ５０が、記録紙１枚あたりの印刷コストが記憶部２３に記憶されるユーザが設定した記録紙１枚あたりの印刷コストの上限金額を超えていることを確認すると（ステップＳ１７でＮｏ）、ＣＰＵ５０の指示により、推奨設定計算部３１において推奨設定（即ち、上限金額を超えない設定）を行うための計算がなされる。具体的に、推奨設定計算部３１は、ユーザが設定したコピー条件における印刷濃度及び出力用紙サイズとスキャナ部２０が読み取った原稿の画像データに基づく文字サイズのうち、少なくとも１つの条件を変更することによって、記録紙１枚あたりの印刷コストを算出する。
【００５６】
そして、ＣＰＵ５０の指示により、推奨設定計算部３１により得られた推奨設定の内容が表示画面２１ａに表示されるとともに（ステップＳ１９）、このとき、計時部２６のタイマが起動される。続いて、ＣＰＵ５０において、推奨設定の内容が表示画面２１ａに表示されてからの経過時間が所定時間に達したか否かの判断が行われる（ステップＳ２０）。
【００５７】
このとき、ＣＰＵ５０が、タイマによる計時値が記憶部２３に記憶されるユーザが設定した推奨設定の内容が表示画面２１ａに表示されてから決められた印刷モードで自動的に印刷を開始するまでの待ち時間に達していないことを確認すると（ステップＳ２０でＮｏ）、次に、ＣＰＵ５０において、図４に示す表示画面２１ａに表示された複数のボタン４０〜４３のうちの何れかが押下されたか否かの判断が行われる（ステップＳ２１）。
【００５８】
このとき、ＣＰＵ５０が、図４に示す表示画面２１ａに表示された複数のボタン４０〜４３のうちの何れかが押下されたことを確認すると（ステップＳ２１でＹｅｓ）、次に、ＣＰＵ５０において、コピー条件の設定変更の指示がなされているか否かの判断が行われる（ステップＳ２２）。
【００５９】
そして、ユーザが表示画面２１ａに表示された図４に示す複数のボタン４０〜４３のうち推奨設定ボタン４０を押下して推奨設定を選択するか、或いは、設定変更ボタン４１または上限変更ボタン４２を押下してコピー条件を変更すると、ＣＰＵ５０が、ユーザによるコピー条件の設定変更の指示がなされていることを確認し（ステップＳ２２でＹｅｓ）、コピー条件を推奨設定またはユーザが新たに設定したものに変更する（ステップＳ２３）。そして、画像形成部２４において、推奨設定またはユーザが新たに設定したコピー条件に基づき、原稿の画像データの印刷が行われる（ステップＳ１８参照）。
【００６０】
一方、ステップＳ１３で設定されたコピー条件のままで印刷を行うために、ユーザが表示画面２１ａに表示された図４に示す複数のボタン４０〜４３のうちユーザ設定ボタン４３を押下すると、ＣＰＵ５０が、ユーザによるコピー条件の設定変更の指示がなされていないことを確認する（ステップＳ２２でＮｏ）。そして、画像形成部２４において、ユーザがステップＳ１３で設定したコピー条件に基づき、原稿の画像データの印刷が行われる（ステップＳ１８参照）。
【００６１】
また、ステップＳ２０において、ＣＰＵ５０が、タイマによる計時値が記憶部２３に記憶されるユーザが設定した推奨設定の内容が表示画面２１ａに表示されてから決められた印刷モードで自動的に印刷を開始するまでの待ち時間に達したことを確認すると（ステップＳ２０でＹｅｓ）、次に、ＣＰＵ５０において、記憶部２３に記憶される印刷モードが推奨設定モードとユーザ設定モードの何れであるかの判断が行われる（ステップＳ２４）。
【００６２】
このとき、ＣＰＵ５０が、記憶部２３に記憶される印刷モードが推奨設定モードであることを確認すると（ステップＳ２４でＮｏ）、ＣＰＵ５０によって、コピー条件がステップＳ１３でユーザが設定したものから推奨設定に変更される（ステップＳ２５）。そして、画像形成部２４において、推奨設定にて原稿の画像データの印刷が行われる（ステップＳ１８参照）。
【００６３】
一方、このとき、ＣＰＵ５０が、記憶部２３に記憶される印刷モードがユーザ設定モードであることを確認すると（ステップＳ２４でＹｅｓ）、画像形成部２４において、ステップＳ１３でユーザが設定したコピー条件に基づき、原稿の画像データの印刷が行われる（ステップＳ１８参照）。
【００６４】
本実施形態によれば、コスト算出部３０が算出した記録紙１枚あたりの印刷コストが記憶部２３に記憶される記録紙１枚あたりの印刷コストの上限金額よりも高くなると予想される場合に、記録紙１枚あたりの印刷コストが記録紙１枚あたりの印刷コストの上限金額を超えないような画像データの印刷に関する推奨設定を表示画面２１ａに表示するようにしているため、ユーザは、推奨設定にて記録紙１枚あたりの印刷コストの上限金額を超えない範囲で画像データの印刷を行うことができる。従って、本実施形態によれば、記録紙１枚あたりの印刷コストを極力減らすことができ、複数枚の原稿の画像データのそれぞれに対して印刷コストを低減させることができる。
【００６５】
尚、上記画像形成装置１０では、原稿の画像データを印刷するために図４に示すフローチャートのステップＳ１５からステップＳ２５までの処理を行うこととしたが、これは１枚ずつ原稿の画像データを印刷する場合に適用されるものであり、複数枚の原稿の画像データを印刷する際には、以下のようにして処理が行われる。
【００６６】
具体的に、複数枚の原稿の画像データを印刷する際には、スキャナ部２０によって、複数枚のすべての原稿の画像データが読み取られる。そして、コスト計算部３０が複数枚の原稿の画像データのそれぞれに対し、記録紙１枚あたりのトナー使用コストを算出するとともに、記録紙１枚あたりの印刷コストを算出する。続いて、ＣＰＵ５０は、複数枚の原稿のそれぞれについて記録紙１枚あたりの印刷コストと記憶部２３に記憶されるユーザが設定した記録紙１枚あたりの印刷コストの上限金額とを比較する。この比較結果により、ＣＰＵ５０が、記録紙１枚あたりの印刷コストが記憶部２３に記憶されるユーザが設定した記録紙１枚あたりの印刷コストの上限金額の範囲を超える画像データが存在することを確認すると、これらの画像データのそれぞれについて推奨設定計算部３１にて推奨設定を行うための計算がなされる。
【００６７】
そして、図４に示す表示画面２１ａに、スキャナ部２０が読み取った順に対象となる原稿の画像データが表示されるとともに、この画像データに対する推奨設定の内容が表示される。続いて、ユーザは、対象となるすべての原稿の画像データについて、表示画面２１ａに表示された画像データを確認し、図４に示す複数のボタンの何れかを押下することによりコピー条件を設定する。その後、ユーザがスタートボタン１４ａを押下することによって、画像形成部２４において、スキャナ部２０が読み取ったすべての原稿の画像データの印刷が行われる。
【００６８】
このように、複数枚の原稿の画像データを印刷する際には、スキャナ部２０がすべての原稿の画像データを読み取った後、これらの画像データのうちの記録紙１枚あたりの印刷コストが記憶部２３に記憶されるユーザが設定した記録紙１枚あたりの印刷コストの上限金額の範囲内に収まる画像データを先に印刷するのではなく、すべての画像データのコピー条件が設定された後、スキャナ部２０が読み取ったすべての原稿の画像データの印刷が行われる。
【００６９】
また、上記画像形成装置１０では、図４に示すステップＳ１７において、記録紙１枚あたりの印刷コストが記憶部２３に記憶されるユーザが設定した記録紙１枚あたりの印刷コストの上限金額の範囲を超えていることをＣＰＵ５０が確認したときに、表示画面２１ａに推奨設定の内容を表示することとしたが、このとき、警告音を鳴らすなどして、記録紙１枚あたりの印刷コストがユーザが設定した記録紙１枚あたりの印刷コストの上限金額の範囲を超えていることをユーザに通知するようにしてもよい。
【００７０】
また、上記画像形成装置１０では、コスト計算部３０が記録紙１枚あたりのトナー使用コストを算出するとともに、記憶部２３に記憶された記録紙１枚あたりの金額に記録紙１枚あたりのトナー使用コストを加えることで、記録紙１枚あたりの印刷コストを算出することとしたが、これに限るものではない。即ち、コスト計算部３０は、記録紙１枚あたりのトナー使用コストのみを算出し、このデータをＣＰＵ５０に送信する。そして、ＣＰＵ５０が、記憶部２３に記憶された記録紙１枚あたりの金額に記録紙１枚あたりのトナー使用コストを加えることで、記録紙１枚あたりの印刷コストを算出するようにしてもよい。
【００７１】
また、上記画像形成装置１０にはコピー機能が搭載されることとしたが、コピー機能に加え、読み取った原稿の画像データを通信ネットワークを介して端末装置に送信するスキャナ機能、端末装置より通信ネットワークを介して送られてくる画像データを記録紙に印刷するプリンタ機能、或いは、画像データを電話回線などを通じて送信先のファクシミリ装置に送信するファクシミリ機能などがこの画像形成装置１０に搭載されるようにしてもよい。
【００７２】
《発明の実施形態２》
本発明の実施形態２は、上記実施形態１の画像形成装置１０の構成を変更したものである。ここでは、本実施形態について、上記実施形態１と異なる点を説明する。
【００７３】
上記実施形態１の画像形成装置１０では、記録紙１枚あたりの金額が出力用紙サイズに関係なく一定に設定されるとともに、記録紙１枚あたりの印刷コストの上限金額も出力用紙サイズに関係なく一定に設定されていた。しかしながら、実際には、出力用紙サイズが大きくなるにつれて、記録紙１枚あたりの金額が高くなることが多い。
【００７４】
また、大きいサイズの記録紙に原稿の画像データを印刷しようとする場合には、小さいサイズの記録紙に原稿の画像データを印刷しようとする場合に比べて、トナーの使用量が多くなることから記録紙１枚あたりの印刷コストが高くなる。よって、大きいサイズの記録紙に原稿の画像データを印刷する場合には、トナーの使用量が少なくなるように、印刷濃度を薄くする、出力用紙サイズを小さくする、或いは、文字サイズを小さくする、などして、ユーザの設定したコピー条件が推奨設定に変更される場合が多くなる。
【００７５】
このように、上記実施形態１の画像形成装置１０では、出力用紙サイズが大きくなるにつれ、ユーザが設定したコピー条件に対して制限を受ける確率が増加する。よって、この実施形態では、出力する記録紙のサイズに応じて記録紙１枚あたりの金額を設定するとともに、出力する記録紙のサイズに応じて記録紙１枚あたりの印刷コストの上限金額を設定する。
【００７６】
具体的には、原稿の画像データの印刷を行う前に、ユーザが、図２に示す操作パネル１４の初期設定ボタン１４ｃを押下し、図６に示す初期設定画面を表示画面２１ａに表示させる。そして、ユーザは、表示画面２１ａを通じて、トナーボックスの金額、記録紙１枚あたりの金額、記録紙１枚あたりの印刷コストの上限金額、及び推奨設定の内容が表示画面２１ａに表示されてから決められた印刷モードで自動的に印刷を開始するまでの待ち時間のそれぞれを設定する。
【００７７】
このとき、ユーザが、記録紙１枚あたりの金額を設定するために、図６に示す初期設定画面における「記録紙の金額」と表示された部分を押下し、この部分を反転表示させる。すると、表示画面２１ａの表示が、図７に示すような記録紙１枚あたりの金額をサイズごとに設定するための画面に切り換わる。
【００７８】
そして、ユーザが、Ａ４サイズの記録紙１枚あたりの金額を設定するために、図７に示す表示画面２１ａにおける「Ａ４」と表示された部分を押下し、この部分を反転表示させる。すると、Ａ４サイズの記録紙１枚あたりの金額を表示する欄の一部が灰色に変化し、カーソルが点滅する。この状態で、ユーザが操作パネル１４のテンキー１４ｂを用いてＡ４サイズの記録紙１枚あたりの金額を入力すると、ユーザの入力したＡ４サイズの記録紙１枚あたりの金額が表示画面２１ａに表示される。そして、ユーザの設定したＡ４サイズの記録紙１枚あたりの金額の情報が操作部２２より入力され、Ａ４サイズの記録紙１枚あたりの金額が記憶部２３に記憶される。
【００７９】
同様に、ユーザが、記録紙１枚あたりの印刷コストの上限金額を設定するために、図６に示す初期設定画面における「上限金額」と表示された部分を押下し、この部分を反転表示させる。すると、表示画面２１ａの表示が、図８に示すような記録紙１枚あたりの印刷コストの上限金額をサイズごとに設定するための画面に切り換わる。
【００８０】
そして、ユーザが、Ａ４サイズの記録紙１枚あたりの印刷コストの上限金額を設定するために、図８に示す表示画面２１ａにおける「Ａ４」と表示された部分を押下し、この部分を反転表示させる。すると、Ａ４サイズの記録紙１枚あたりの印刷コストの上限金額を表示する欄の一部が灰色に変化し、カーソルが点滅する。この状態で、ユーザが操作パネル１４のテンキー１４ｂを用いて記録紙１枚あたりの印刷コストの上限金額を入力すると、ユーザの入力したＡ４サイズの記録紙１枚あたりの印刷コストの上限金額が表示画面２１ａに表示される。そして、ユーザの設定したＡ４サイズの記録紙１枚あたりの印刷コストの上限金額の情報が操作部２２より入力され、Ａ４サイズの記録紙１枚あたりの印刷コストの上限金額が記憶部２３に記憶される。
【００８１】
このようにして記録紙１枚あたりの金額と記録紙１枚あたりの印刷コストの上限金額がサイズごとに記憶部２３に記憶されるとき、コスト計算部３０は、ユーザが表示画面２１ａを通じて設定したコピー条件における出力用紙サイズに基づき、記憶部２３にサイズごとに記憶された記録紙１枚あたりの金額に記録紙１枚あたりのトナー使用コストを加えることで、記録紙１枚あたりの印刷コストを算出する（図４のステップＳ１６参照）。続いて、ＣＰＵ５０は、ユーザが表示画面２１ａを通じて設定したコピー条件における出力用紙サイズに基づき、コスト計算部３０が算出した記録紙１枚あたりの印刷コストが、記憶部２３にサイズごとに記憶される記録紙１枚あたりの印刷コストの上限金額の範囲内に収まるか否かの判断を行う（図４のステップＳ１７参照）。
【産業上の利用可能性】
【００８２】
以上説明したように、本発明は、複写機やプリンタなどの画像形成装置に関し、特に、印刷コストを管理する機能を有するものについて有用である。
【図面の簡単な説明】
【００８３】
【図１】実施形態１に係る画像形成装置の構造を示す斜視図である。
【図２】実施形態１に係る画像形成装置の構成を示すブロック図である。
【図３】実施形態１に係る画像形成装置において、表示画面に表示される初期設定の内容を示す図である。
【図４】実施形態１に係る画像形成装置において、表示画面に表示される推奨設定の内容を示す図である。
【図５】実施形態１に係る画像形成装置の動作を示すフローチャートである。
【図６】実施形態２に係る画像形成装置において、表示画面に表示される初期設定の内容を示す図である。
【図７】実施形態２に係る画像形成装置において、表示画面に表示される記録紙の金額の設定内容を示す図である。
【図８】実施形態２に係る画像形成装置において、表示画面に表示される上限金額の設定内容を示す図である。
【符号の説明】
【００８４】
１０  画像形成装置
１１  自動原稿送り装置
１２  給紙カセット
１３  排紙トレイ
１４  操作パネル
１４ａ  スタートボタン
１４ｂ  テンキー
１４ｃ  初期設定ボタン
２０  スキャナ部
２１  表示部
２１ａ  表示画面
２２  操作部
２３  記憶部
２４  画像形成部
２５  計算部
２６  計時部
２７  制御部
３０  コスト計算部
３１  推奨設定計算部
４０  推奨設定ボタン
４１  設定変更ボタン
４２  上限変更ボタン
４３  ユーザ設定ボタン
５０  ＣＰＵ
５１  ＲＡＭ
５２  ＲＯＭ
【図１】
2007086646.tif 000003
【図２】
2007086646.tif 000004
【図３】
2007086646.tif 000005
【図４】
2007086646.tif 000006
【図５】
2007086646.tif 000007
【図６】
2007086646.tif 000008
【図７】
2007086646.tif 000009
【図８】
2007086646.tif 000010